(57)【要約】【課題】灯具を１本吊りする場合に、ワイヤの平行巻きができ、天井埋め込みが容易な昇降装置付き照明器具を提供する。【解決手段】灯具２は１本のワイヤ８に吊持されている。器具本体１はワイヤ８を掛け回す滑車を有する。昇降ユニット３は器具本体１の側部に配置されて滑車に掛けられたワイヤ８を巻き取り巻き戻して灯具２を昇降するドラム１９を有し、ドラム１９を正または逆に回転するモータ２０を有する。そして、昇降ユニット３はドラム１９を器具本体１から遠い位置に配置し、モータ２０を器具本体１に近い位置に配置し、モータ２０とドラム１９間を減速ギヤ２５を介して連結している。【選択図】        図１
2006302686.tif 000002
【特許請求の範囲】
【請求項１】
１本の索条に吊持された灯具と、前記索条を掛けるガイドを有する器具本体と、この器具本体の側部に配置されて前記ガイドに掛けられた前記索条を巻き取り巻き戻して前記灯具を昇降するドラムを有し前記ドラムを正または逆に回転する駆動手段を有する昇降ユニットとを備え、前記昇降ユニットは前記ドラムを前記器具本体から遠い位置に配置し、前記駆動手段を前記器具本体寄りに配置した昇降装置付き照明器具。
【発明の詳細な説明】
【技術分野】
【０００１】
この発明は、昇降装置付き照明器具に関するものである。
【背景技術】
【０００２】
図８に示す従来の昇降装置付き照明器具、例えばオートリフター付きダウンライトは、天井７０の埋め込み穴７１にダウンライトの器具本体７２を天井７０の吊りボルト７３によりボルト吊りし、器具本体７２の上端部に昇降ユニット７４を搭載し、昇降ユニット７４から２本のワイヤ７５または鋼板のベルトで例えばＨＩＤを光源７７とした灯具７６を吊持し、昇降ユニット７４を駆動して灯具７６を昇降している。    
【０００３】
しかし、一般住宅では、ボルト吊りができず、また器具高さが例えば２５０ｍｍ以上になることは好まれず、またＨＩＤ用の照明器具はほとんど取付けられていない。また灯具７６を器具本体７２に収納させる際はワイヤ７５のねじれ防止のため灯具７６の方向を規制する必要がある。さらにこの照明器具は部品点数が多く、組立が困難で、コスト高である。
【０００４】
別の従来例（例えば特許文献１、２参照）は、一般家庭用の光源を用いた灯具をワイヤで１本吊りしたものであり、昇降ユニットの構成が簡単になるため、器具本体内に設けることができ、器具高さも低くすることができる。
【特許文献１】特開平１−２３６５０６号公報
【特許文献２】特開平６−１０３８０７号公報
【発明の開示】
【発明が解決しようとする課題】
【０００５】
しかし、上記別の従来例は、ワイヤを巻き取り巻き戻しするドラムが、上昇した灯具のすぐ近くに配置されているため、ワイヤをドラムに平行巻きすることが困難であり、ワイヤがドラムの一部にかたまって巻かれるので、ワイヤがドラムからはみ出さないようにドラムを大型化したり、ワイヤの巻き戻しがスムースに行われなかったりする。一方ドラムを灯具から離すと器具本体が大型化し、埋め込み型として適さなくなる。
【０００６】
したがって、この発明の目的は、灯具を１本吊りする場合に、ワイヤの平行巻きができ、しかも天井埋め込みが容易な昇降装置付き照明器具を提供することである。
【課題を解決するための手段】
【０００７】
この発明の昇降装置付き照明器具は、灯具が１本の索条に吊持されている。器具本体は前記索条を掛けるガイドを有する。昇降ユニットは器具本体の側部に配置されて前記ガイドに掛けられた前記索条を巻き取り巻き戻して前記灯具を昇降するドラムを有し前記ドラムを正または逆に回転する駆動手段を有する。そして、前記昇降ユニットは前記ドラムを前記器具本体から遠い位置に配置し、前記駆動手段を前記器具本体寄りに配置している。
【発明の効果】
【０００８】
この発明の昇降装置付き照明器具によれば、器具本体の側部に昇降ユニットを配置したため、器具本体の高さを低く抑えることができる。またドラムを器具本体から離したため、ドラムに平行巻きしやすくなり、しかもモータ等の駆動手段を器具本体側に配置したため、昇降ユニットの寸法を抑えることができる。このため埋め込み型として適用容易である。
【発明を実施するための最良の形態】
【０００９】
この発明の一実施の形態を図１から図７により説明する。すなわち、この埋め込み型昇降装置付き照明器具は、灯具２を昇降ユニット３から繰り出す索条例えばワイヤ８で昇降自在に吊持し、灯具２の上昇位置で器具本体１に灯具２を収納している。
【００１０】
灯具２は、上端側が細径で下端側が太径となるように２段の円錐形状または円錐台形状に形成した外殻５で反射板を兼ね、その上端の内面にランプソケット６を配置し、ランプソケット６に一般の例えばダウンライト用蛍光灯を用いた光源４を装着している。灯具２の上端の上面側にはランプソケット６に接続された受電接点７が設けられるとともに、灯具２の重心となる位置に１本のワイヤ８の先端を取付けている。
【００１１】
器具本体１は灯具２を昇降方向に出し入れ可能な収納部を形成する筒形であり、器具本体１の開口縁に天井１１の埋め込み穴９の縁部に係止するつば１０を形成し、側部に天井１１の裏面に係止する取付具１２を設けている。また器具本体１の天部に受電接点７が接触する給電接点１３を設けるとともにワイヤ８を掛けるガイド例えば滑車１４を設け、灯具２を吊持したワイヤ８は滑車１４を経て器具本体１の側部に例えば切欠きにより形成したワイヤ挿通部４１より外部に引き出されている。さらに滑車１４の近傍に灯具２の上昇位置検知スイッチ１５を設けている。器具本体１を埋め込み穴９に挿入しつば１０を埋め込み穴９の縁部に係止した状態で取付具１２を天井１１の裏面上に係止し、これにより器具本体１を天井１１に固定している。
【００１２】
器具本体１の天部に連結板１７の一端が例えばねじなどの連結具１６で取付けられ他端が器具本体１の側方に延長し、連結板１７の他端側に昇降ユニット３が取付けられ、これによって昇降ユニット３は全体として器具本体１の側部に配置されている。  
【００１３】
昇降ユニット３はカバー１８内において、ドラム１９を器具本体１から遠い位置に配置し、駆動手段例えばモータ２０を器具本体１に近い位置に配置している。ドラム１９は灯具２を昇降可能に吊持するワイヤ８を滑車１４を介して巻き取り巻き戻しする。この場合、昇降ユニット３内において滑車１４とドラム１９との間にガイドとしてさらに滑車２１、２２を配置している。滑車２１は昇降ユニット３の略中央位置に配置し、滑車２２は器具本体１に近い位置に配置しており、ワイヤ８を灯具２から順次滑車１４、２１、２２を経てドラム１９に巻き取らせている。滑車２２はドラム１９がワイヤ８を繰り出しまたは巻き取る際のワイヤ８の支点となっている。さらに滑車２２とドラム１９の間にテンションガイド２３を配置し、ワイヤ８を摺動自在に支持するとともにドラム１９に巻き取られるワイヤ８をドラムに押さえ付ける方向にばね２４で付勢している。
【００１４】
モータ２０はその正転または逆転によりドラム１９を正逆回転するものであり、モータ２０とドラム１９の間は減速機構として減速ギヤ２５を介して連結している。  モータ２０は直流モータを使用し、操作部３０から給電を受けて正転または逆転する。
【００１５】
モータ２０を操作するための操作部３０は壁などの操作可能な位置に設けられている。操作部３０は電池電源と、この電池電源を着脱自在に固定しかつ固定方向を変更可能な固定手段を有し、電池電源の固定方向を変更することにより固定手段の出力の極性が反転するように構成している。
【００１６】
すなわち、電池電源は例えば９Ｖの電池３１と、電池３１を収納する電池ボックス３２からなり、電池３１の電極が接触する給電接点用電極端子を有する。電池ボックス３２は背面に給電接点用電極端子に接続された給電接点３４ａ、３４ｂを並設し、表面に電池ボックス３２の上下方向を区別する表示部例えば三角マーク３５を表している。固定手段となるプレートボックス３３は電池ボックス３２を収納固定する収納室３６を有し、収納室３６内に受電接点３７ａ、３７ｂ（３７ｂを図示せず）を並設し、受電接点３７ａ、３７ｂに接続され裏面側に露出した端子４０ａ、４０ｂにモータ２０への配線３８の端部を接続している。収納室３６は電池ボックス３２を上下反転可能に収納し給電接点３４ａ、３４ｂが受電接点３７ａ、３７ｂに接触した状態に着脱自在に固定される。この場合、電池ボックス３２を直接把持して引き出したり、あるいは例えばボタンなどを設けてこれを操作することで、電池ボックス３２を引き出すように構成する。
【００１７】
電池ボックス３２をプレートボックス３３に収納すると給電接点３４ａ、３４ｂと受電接点３７ａ、３７ｂが接触し、配線３８を通してモータ２０に給電することができる。この場合、給電接点３４ａ、３４ｂと受電接点３７ａ、３７ｂは横方向に並設されているため、電池ボックス３２の三角マーク３５を例えば逆三角形に見えるようにプレートボックス３３に収納した場合と、電池ボックス３２の三角マーク３５を通常の三角形に見えるようにプレートボックス３３に収納した場合とでは配線３８に供給される極性が逆になるので、いずれか一方のときモータ２０が正転し、他方のとき逆転する。このように電池３１の極性を利用し直流の向きを制御することによりモータ２０の正転・逆転を操作することができる。
【００１８】
操作部３０の操作によりモータ２０が正転すると、ドラム１９は減速ギヤ２５を介してたとえば繰り出し方向に回転するとワイヤ８が繰り出されて灯具２が下降する。灯具２の下降位置では例えば電池ボックス３２を取り外したり、検知スイッチや停止スイッチを設けて給電を停止させる。これによりランプ交換等が可能である。一方操作部３０の操作によりモータ２０が逆転すると反対に灯具２が上昇する。灯具２の上昇により灯具２の上端が上昇位置検知スイッチ１５を押し、モータ２０が停止する。同時に受電接点７が給電接点１３に接触し、光源４は点灯可能となる。
【００１９】
この実施の形態によれば、１本のワイヤ８により灯具２を吊持することにより、昇降ユニット３の構造が簡素化できる。昇降ユニット３を器具本体１の側方に配置することにより器具高さを例えば２５０ｍｍ以下にすることができるので、一般住宅向けのオートリフタ付きダウンライトの実現が容易になる。
【００２０】
ドラム１９が器具本体１から昇降ユニット３の遠い位置に配置されているため、器具本体１側となるワイヤ支点となる滑車２２とドラム１９との距離を大きくとることができるのでワイヤ支点が近い位置に配置されている場合と比較して、平行巻きができ、ドラム１９の一部に固まって巻かれるようなことがない。またモータ２０を器具本体１側に配置することによりコンパクトなサイズとなり、ダウンライトに組み込むことが可能になる。
【００２１】
電池ボックス３２を利用した壁スイッチを設けることにより、低電圧直流電源の商品展開が可能になる。低電圧のため安全性が高く、施工に工事免許が不要である。さらに電池ボックス３２を抜いて上下を逆にして接続することによりドラムが逆転回できるので、配線まわりの構成が簡素化できる。
【００２２】
なお滑車２２をワイヤ支点にしたが、滑車１４をワイヤ支点にすることは可能である。
【図面の簡単な説明】
【００２３】
【図１】この発明の一実施の形態の照明器具の昇降ユニットのカバーを取った状態の斜視図である。
【図２】その要部拡大図である。
【図３】断面図である。
【図４】その照明器具の斜視図である。
【図５】操作部の斜視図である。
【図６】（ａ）は電池ボックスの出し入れを説明する斜視図、（ｂ）は電池ボックスの上下反転する説明のための斜視図、（ｃ）は電池の収納状態を説明する斜視図である。
【図７】操作部を裏側からみた斜視図である。
【図８】従来例の断面図である。
【符号の説明】
【００２４】
１    器具本体
２    灯具
３    昇降ユニット
８    ワイヤ  
１４    滑車
１９    ドラム
２０    モータ
２５    減速ギヤ    
【図１】
2006302686.tif 000003
【図２】
2006302686.tif 000004
【図３】
2006302686.tif 000005
【図４】
2006302686.tif 000006
【図５】
2006302686.tif 000007
【図６】
2006302686.tif 000008
【図７】
2006302686.tif 000009
【図８】
2006302686.tif 000010